(57)【要約】【課題】費用をかけることなく簡易な構成で２種類の用毛を一つの毛束に用いたブラシを製造可能な植毛装置およびこれにより製造された歯ブラシを提供する。【解決手段】往復動するピッカー１３によって用毛群８から指定本数の用毛を掻き取って用毛束６とし、用毛束６を植毛機構７に供給する用毛供給機構９と、用毛束打ち込み用の平線１０を植毛機構７に供給する平線供給機構１１と、用毛供給機構９から送られてくる用毛束６を載置可能な補助器５９を備え、平線供給機構１１から送られてくる平線１０を用いてブラシ２のヘッド部３に形成された植毛穴５に用毛束６を２つ折りにして植設する植毛機構７と、を備えた植毛装置１であって、用毛供給機構９が少なくとも２つ設けられており、各用毛供給機構９ａ，９ｂから送られてくる用毛束６ａ，６ｂを植毛機構７の補助器５９において上下方向に載置可能に構成されている。【選択図】図１
2008142393.tif 000002
【特許請求の範囲】
【請求項１】
往復動するピッカーによって用毛群から指定本数の用毛を掻き取って用毛束とし、該用毛束を植毛機構に供給する用毛供給機構と、
用毛束打ち込み用の平線を前記植毛機構に供給する平線供給機構と、
前記用毛供給機構から送られてくる前記用毛束を載置可能な補助器を備え、前記平線供給機構から送られてくる前記平線を用いてブラシのヘッド部に形成された植毛穴に前記用毛束を２つ折りにして植設する植毛機構と、を備えた植毛装置であって、
前記用毛供給機構が少なくとも２つ設けられており、各用毛供給機構から送られてくる用毛束を前記植毛機構の前記補助器において上下方向に載置可能に構成されていることを特徴とする植毛装置。
【請求項２】
前記植毛機構において、第一用毛束を上側に供給する第一用毛供給機構と、第二用毛束を下側に供給する第二用毛供給機構と、を備えた植毛装置において、
前記第二用毛供給機構に設けられている第二ピッカーに形成された第二掻き取り溝が、
前記第一用毛供給機構に設けられている第一ピッカーに形成された第一掻き取り溝よりも幅が広く形成されていることを特徴とする請求項１に記載の植毛装置。
【請求項３】
前記補助器が、その上面に前記第一用毛供給機構から供給される前記第一用毛束を載置可能な第一窪み部が形成され、補助器本体に前記第二用毛供給機構から供給される前記第二用毛束を挿入し、載置可能な切り込み部および第二窪み部が形成されていることを特徴とする請求項１または２に記載の植毛装置。
【請求項４】
請求項１〜３のいずれかに記載の植毛装置により製造された歯ブラシであって、
第一用毛束に用いる第一用毛と、第二用毛束に用いる第二用毛とが、径および／又は断面形状が異なることを特徴とする歯ブラシ。
【発明の詳細な説明】
【技術分野】
【０００１】
本発明は、歯ブラシ、ヘアブラシ、衣服用ブラシなどのブラシ製品のブラシヘッド部に用毛を植毛するための植毛装置およびこれにより製造された歯ブラシに関するものである。
【背景技術】
【０００２】
従来から、往復動するピッカーの外周縁部に形成された用毛掻き取り溝によって用毛群から指定本数の用毛を掻き取って用毛束とし、この用毛束を植毛機構に供給する用毛供給機構と、用毛束打ち込み用の平線を植毛機構に供給する平線供給機構と、用毛供給機構から送られてくる用毛束を平線供給機構から送られてくる平線を用いて歯ブラシハンドルのヘッド部の植毛穴に２つ折りにして植設する植毛機構とを備え、用毛掻き取り溝の上面または上下面を覆って、回動またはスライド自在な用毛ストッパーを付設し、用毛ストッパーの回動またはスライド位置を変えることにより、用毛掻き取り溝の溝面積を変えることができる植毛装置が知られている（例えば、特許文献１参照）。
また、特に歯ブラシにおいて、２種類の用毛を一つの毛束に用い、高い清掃性能と、良好な歯磨き感とが得られるものが知られている（例えば、特許文献２参照）。
【特許文献１】特開２００３−１６９７１９号公報
【特許文献２】実開平６−５２５５６号公報
【発明の開示】
【発明が解決しようとする課題】
【０００３】
ところで、特許文献２の歯ブラシを製造するには、予め毛束を固着し、ついで、毛束の固着部とヘッド部の植毛面とを加熱して溶融状態で溶着する方法か、毛束を金型内に入れてヘッド部および歯ブラシハンドルを射出成形する方法などにより植毛するしかなく、このような方法は、特許文献１のような植毛装置では実現することができず、植毛装置の構成が複雑化し、高度な技術と多大なコストがかかるという問題があった。
【０００４】
本発明は、上記事情を鑑みてなされたものであり、費用をかけることなく簡易な構成で２種類の用毛を一つの毛束に用いたブラシを製造可能な植毛装置およびこれにより製造された歯ブラシを提供するものである。
【課題を解決するための手段】
【０００５】
上記の課題を解決するために、請求項１に記載した発明は、往復動するピッカーによって用毛群から指定本数の用毛を掻き取って用毛束とし、該用毛束を植毛機構に供給する用毛供給機構と、用毛束打ち込み用の平線を前記植毛機構に供給する平線供給機構と、前記用毛供給機構から送られてくる前記用毛束を載置可能な補助器を備え、前記平線供給機構から送られてくる前記平線を用いてブラシのヘッド部に形成された植毛穴に前記用毛束を２つ折りにして植設する植毛機構と、を備えた植毛装置であって、前記用毛供給機構が少なくとも２つ設けられており、各用毛供給機構から送られてくる用毛束を前記植毛機構の前記補助器において上下方向に載置可能に構成されていることを特徴とする。
【０００６】
請求項２に記載した発明は、前記植毛機構において、第一用毛束を上側に供給する第一用毛供給機構と、第二用毛束を下側に供給する第二用毛供給機構と、を備えた植毛装置において、前記第二用毛供給機構に設けられている第二ピッカーに形成された第二掻き取り溝が、前記第一用毛供給機構に設けられている第一ピッカーに形成された第一掻き取り溝よりも幅が広く形成されていることを特徴とする。
【０００７】
請求項３に記載した発明は、前記補助器が、その上面に前記第一用毛供給機構から供給される前記第一用毛束を載置可能な第一窪み部が形成され、補助器本体に前記第二用毛供給機構から供給される前記第二用毛束を挿入し、載置可能な切り込み部および第二窪み部が形成されていることを特徴とする。
【０００８】
請求項４に記載した発明は、上述の植毛装置により製造された歯ブラシであって、第一用毛束に用いる第一用毛と、第二用毛束に用いる第二用毛とが、径および／又は断面形状が異なることを特徴とする。
【発明の効果】
【０００９】
請求項１に記載した発明によれば、各用毛供給機構から送られてくる用毛束をまとめて一つの植毛穴に２つ折りにして植設することができるため、各用毛供給機構に異なる種類の用毛を用意することで、費用をかけることなく簡易な構成で複数種類の用毛を一つの毛束に用いたブラシを製造することができる効果がある。
【００１０】
請求項２に記載した発明によれば、植毛機構において、第一用毛束は第一掻き取り溝の形状に合わせた量の用毛が配置され、第二用毛束は第二掻き取り溝の形状に合わせた量の用毛が配置され、これら用毛束を植毛穴に植設する際に、確実に第一用毛束が内側になり、その周囲を第二用毛束が覆うように２つ折りすることができる効果がある。
【００１１】
請求項３に記載した発明によれば、第一用毛束と第二用毛束とを植毛機構の補助器において確実に上下方向に載置することができるため、これら用毛束を２つ折りにする際に、植設不良を発生することなく、確実に植設を行うことができる効果がある。
【００１２】
請求項４に記載した発明によれば、内側に配置される第一用毛束を細くして、その外周に配置される第二用毛束の剛性よりも第一用毛束の剛性を相対的に低くすることができるため、歯磨剤の研磨剤および研磨補助用顆粒を毛束に保持させやすくすることができ、歯ブラシの歯垢およびステイン除去力を向上させることができる効果がある。
一方、外側に配置される第二用毛束を細くして、その内側に配置される第一用毛束の剛性よりも第二用毛束の剛性を相対的に低くすることができるため、第一用毛束による刷掃効果および第二用毛束による歯肉に対する当たり心地の柔らかさやマッサージ効果を両立することができる効果がある。
【発明を実施するための最良の形態】
【００１３】
次に、本発明の実施形態を図１〜図９に基づいて説明する。なお、本発明においては植毛装置により歯ブラシを製造する場合の説明を行う。
図１に示すように、植毛装置１は、歯ブラシハンドル２のヘッド部３を掴んで保持するブラシ保持機構４と、ヘッド部３の植毛穴５に用毛束６を植設する植毛機構７と、用毛群８から指定本数の用毛を掻き取って用毛束６とし、この用毛束６を植毛機構７に供給する用毛供給機構９と、用毛束６を植毛穴５へ打ち込むための平線１０を植毛機構７に供給する平線供給機構１１とを備えている。ここで、用毛供給機構９は第一用毛供給機構９ａと第二用毛供給機構９ｂとの２組配置されている。
【００１４】
ブラシ保持機構４は、テーブル５１などに固設されており、手動または自動により位置を制御することにより、植毛対象とする植毛穴５が植毛機構７の打ち込み中心線上に一致するように、その位置を可変できるように構成されている。
【００１５】
植毛機構７は、平線供給機構１１から供給される平線１０を図示しないカッターにより所定長さに切断し、切断された平線１０ａを針１２によって歯ブラシハンドル２のヘッド部３に向けて打ち込むことにより、用毛束６を平線１０ａで２つ折りにした状態で植毛穴５に圧入し、植毛できるように構成されている。
【００１６】
図２、図３に示すように、植毛機構７には補助器５９が設けられている。補助器５９の上面は、第一用毛供給機構９ａより送られてきた第一用毛束６ａを載置可能な窪み部６１が形成されている。補助器５９における第二用毛供給機構９ｂが載置されている側の側面には、第二用毛供給機構９ｂより送られてきた第二用毛束６ｂを挿入して、載置可能な切り込み部６３および窪み部６４が形成されている。また、補助器５９は、垂直軸方向に貫通孔６５が形成されている。貫通孔６５は、平面視略円形の形状を有しており、その両側部には針１２および平線１０ａが挿通できるように凸部開口６７が形成されている。ここで、窪み部６１の幅は、貫通孔６５の幅よりも小さく形成されており、切り込み部６３は、貫通孔６５の幅よりも大きく形成されている。
【００１７】
そして、補助器５９の側面で切り込み部６３が形成されている側と略反対側には、支持部材６９が設けられている。支持部材６９には垂直軸方向に貫通孔７０が形成されており、貫通孔７０には補助器用軸７１が取付可能に構成されている。
【００１８】
図１に戻り、各用毛供給機構９ａ，９ｂは、用毛収容部５３に収容されている各用毛群８ａ，８ｂから指定量の用毛を掻き取るための各ピッカー１３ａ，１３ｂと、各ピッカー１３ａ，１３ｂによって掻き取られる用毛の量を調整するための用毛ストッパー１４と、を備えている。また、第一用毛供給機構９ａは、土台４１ａ上に載置されており、第二用毛供給機構９ｂは、土台４１ｂ上に載置されている。
【００１９】
図４に示すように、土台４１ａは、第一用毛群８ａが収容された用毛収容部５３および第一ピッカー１３ａを載置可能な大きさを有している。本実施形態においては、植毛機構７の近傍においては、土台４１ａは第一ピッカー１３ａの形状と平面視で略同一の形状で形成されている。また、土台４１ｂは、第二用毛群８ｂが収容された用毛収容部５３および第二ピッカー１３ｂを少なくとも載置可能な大きさを有している。本実施形態においては、植毛機構７の近傍に垂直方向に開口２５が形成されている。そして、開口２５の上方に平面視で植毛機構７が配置されるように構成されている。
【００２０】
図１に戻り、第一用毛供給機構９ａからは第一用毛群８ａから掻き取られた第一用毛束６ａが、第二用毛供給機構９ｂからは第二用毛群８ｂから掻き取られた第二用毛束６ｂが、それぞれ植毛機構７へ供給されるように構成されている。また、植毛機構７の補助器５９において、第一用毛束６ａが上側に、第二用毛束６ｂが下側に載置されるように構成されている。
【００２１】
また、第一用毛供給機構９ａには第一ピッカー１３ａが設けられており、第一ピッカー１３ａには第一用毛群８ａから掻き取った第一用毛束６ａを収容する第一掻き取り溝５５ａが形成されている。同様に、第二用毛供給機構９ｂには第二ピッカー１３ｂが設けられており、第二ピッカー１３ｂには第二用毛群８ｂから掻き取った第二用毛束６ｂを収容する第二掻き取り溝５５ｂが形成されている。ここで、第二掻き取り溝５５ｂは第一掻き取り溝５５ａよりも幅が大きく形成されている。
【００２２】
また、各ピッカー１３の形状としては、直線状および円弧状がよい（本実施形態では直線状）。直線状でも各ピッカー１３配置の高低差・幅を取っていることから適切に植毛できるが、円弧状にした方が補助器５９の直前まで用毛同士の干渉を少なくすることができるため好ましい。
【００２３】
さらに、第一ピッカー１３ａと第二ピッカー１３ｂとの高低差は、５〜３０ｍｍが望ましい。高低差が５ｍｍ未満であると、第一用毛束６ａと第二用毛束６ｂとが干渉してしまい、適切に植毛されなくなる虞があり、高低差が３０ｍｍを超えると補助器５９に各用毛束６をセットし、針１２で植毛する際に、補助器５９の内側に用毛束６が擦れ過ぎてしまい、適切に植毛されなくなる虞がある。
【００２４】
更に、各用毛群８は、用毛収容部５３の上部に設けられた押さえ部材５７により下方に付勢されている。これにより、各ピッカー１３ａ，１３ｂにより一定量の用毛を掻き取り容易に構成されている。
そして、各ピッカー１３ａ，１３ｂは左右（水平方向）に移動可能であり、各掻き取り溝５５ａ，５５ｂに掻き取られた第一用毛束６ａ、第二用毛束６ｂが植毛機構７の補助器５９に載置可能な位置まで移動できるように構成されている。
【００２５】
用毛ストッパー１４は、各ピッカー１３ａ，１３ｂによって掻き取られた用毛束６の量を調整可能に構成されている。また、各ピッカー１３ａ，１３ｂに掻き取られた用毛束６ａ，６ｂを植毛機構７まで移動させる際に各ピッカー１３ａ，１３ｂから用毛束６ａ，６ｂが落下しないようにすることができる機能を有する。
【００２６】
平線供給機構１１は、ロール状に巻かれた平線１０を適宜、植毛機構７へ供給可能に構成されている。ここで、平線１０は、用毛束６が植毛穴５から抜けないための抜け止め部材としての機能を有している。平線１０は、生産性、コストの面から一般的に真鍮またはアルミニウムの平板状のものが用いられるが、これに限らず、物理的に任意の植毛穴５に用毛または用毛束を打ち込むことが可能であれば良く、材質（金属、プラスチック、天然材料など）、寸法および形状について任意に選択が可能である。
【００２７】
平線１０は、用毛束６を植毛穴５へ取り付ける際に、適当な長さに切断して使用する。切断された平線１０ａの長さは特に限定はないが、用毛束６を保持することができ、かつ植毛時にワレ・白化を発生しない長さとするとよい。好ましくは、植毛穴５の平線打ち込み方向の長軸長さよりも０．１〜０．７ｍｍ長く設定するとよい。
【００２８】
また、平線１０ａの打ち込み角度は自由に選択できるが、ワレ・白化の発生を避けるために歯ブラシ植毛部の長軸方向に対して５〜８０°の範囲が好ましく、より好ましくは１０〜３０°とするとよい。さらに、平線打ち込み角度は、全ての植毛穴５に対して同一である必要はなく、異なる打ち込み角度の組み合わせとしてもよい。
【００２９】
次に、歯ブラシハンドル２のヘッド部３には、円形の植毛穴５が複数形成されている。また、植毛穴５はヘッド部３の表面に千鳥状に配列されている。なお、植毛穴５の形状は、円形に限らず、三角形、四角形などの多角形や直線若しくは曲線を組み合わせた不定形としてもよい。また、植毛穴５の配列も千鳥状に限られず、格子状に配列してもよい。
【００３０】
また、植毛穴５の深さ方向の形状は、円柱形に形成されているが、これに限らず、下方にいくにしたがって径が小さくなるようにテーパを付けたものや、段差を設けたもの、これらを組み合わせた形状を有するものなどでもよい。さらに、これらの形状に加えて、底辺部に０．３ｍｍ程度の面取り加工をしたものが好ましい。
【００３１】
次に、歯ブラシに使用する用毛は、３〜１２ｍｉｌ（１ｍｉｌ＝１／１０００ｉｎｃｈであるため、０．０７６〜０．３０５ｍｍ）の線径の太さを有している。刷掃している実感の高い歯ブラシとする場合は、８〜１２ｍｉｌ（０．２０３〜０．３０５ｍｍ）の線径の用毛を用い、マッサージ感が良く、歯茎への当たり心地の良い歯ブラシとする場合は、３〜８ｍｉｌ（０．０７６〜０．２０３ｍｍ）の線径の用毛を用いることが好ましい。
【００３２】
用毛の材質としては、ポリアミド（ナイロン６−１２、ナイロン６−１０、１２ナイロンなど）、ポリエステル（ポリエチレンテレフタレート、ポリプロピレンテレフタレート、ポリブチレンテレフタレートなど）、ポリプロピレン、エラストマー、天然材質などを使用することができる。また、これらを組み合わせた複合糸であっても良い。
【００３３】
また、用毛の横断面形状は円形に形成されているが、これに限らず、三角形、四角形、六角形、花びら状などの横断面形状を有した用毛を用いることもできる。また、これらを組み合わせた形状であっても良い。更に、予め用毛全体の外観形状がウェーブ状、ツイスト状、ギザギザ状などに加工されたものを用いてもよく、これらを組み合わせることも可能である。
【００３４】
また、通常は毛先丸め部を除いて１本の用毛は略同一径であるが、毛束根元部近傍から毛先先端へ向かうにしたがって、徐々に径が細くなる高度テーパ毛の形態であってもよい。さらに、用毛先端形状は、ヘラ状、先薄幅広状、球状などであってもよい。
【００３５】
用毛の形態は特に限定はなく、ハンク状（一定長さにカットされ束ねられたもの）、スプール状（リールに巻き取られたもの）などの任意のものを使用することが可能である。さらに、各用毛の長さは揃っていてもよいし、不揃いでもよい。植毛部毛先輪郭形状（一般的に毛切り形状）もフラット形状のほか、歯茎への当たり心地をよりソフトにするために、ヘッド長手方向における用毛の角部分を１Ｒ〜１０Ｒ程度にカットしたドーム形状や、山谷形状、凹凸段差形状などでもよい。
【００３６】
一つの植毛穴５の面積から平線１０ａの面積を引いて得られる実植毛総面積Ａ中の用毛総面積Ｂの割合をパッキングファクター（Ｂ／Ａ×１００％）としたとき、その値については特に限定はないが、好ましくは６０〜１００％、より好ましくは７０〜９５％である。
【００３７】
次に、本実施形態における植毛装置１を用いて、歯ブラシを製造する流れを図５〜図８を用いて説明する。
図５に示すように、第一用毛供給機構９ａの第一用毛群８ａから第一ピッカー１３ａにより用毛を必要本数掻き取り、第一用毛束６ａとして第一掻き取り溝５５ａにセットし、用毛ストッパー１４にて落下しないように固定する。同様に、第二用毛供給機構９ｂの第二用毛群８ｂから第二ピッカー１３ｂにより用毛を必要本数掻き取り、第二用毛束６ｂとして第二掻き取り溝５５ｂにセットし、用毛ストッパー１４にて落下しないように固定する。ここで、用毛収容部５３は抑え部材５７により付勢されているため、各掻き取り溝５５ａ，５５ｂへ供給される用毛の量を安定化させることができる。
【００３８】
また、植毛機構７は、針１２が補助器５９の貫通孔６５に挿入されない上方の位置で保持されており、補助器５９は次工程で各用毛供給機構９から送られてくる用毛束６が適切な位置に載置されるように補助器用軸７１に取り付けられている支持部材６９を上下方向に移動させることで補助器５９を移動させる。
そして、ブラシ保持機構４に保持されている歯ブラシハンドル２のヘッド部３に形成された植毛穴５のうち、次に植設する植毛穴５の垂直方向の中心軸と補助器５９の貫通孔６５の中心軸とが一致するようにブラシ保持機構４を水平方向に移動させる。
【００３９】
図６に示すように、第一ピッカー１３ａおよび第二ピッカー１３ｂを水平方向に移動し、補助器５９の窪み部６１に第一用毛束６ａを載置し、切り込み部６３内の窪み部６４に第二用毛束６ｂを載置する。また、平線供給機構１１から平線１０を引き出し、平線１０が補助器５９の上方に配されるようにする。その後、図示しないカッターにより平線１０を植毛の際に必要な長さに切断し、平線１０ａを作成する。
【００４０】
図７に示すように、補助器５９の貫通孔６５に平線１０ａ、第一用毛束６ａおよび第二用毛束６ｂが配された後に、針１２を下方に移動し、針１２が補助器５９の貫通孔６５を下方に移動すると、平線１０ａによってまず第一用毛束６ａが２つ折りにされて、貫通孔６５を下方にすすみ、次に、第二用毛束６ｂが第一用毛束６ａの外周を覆うように２つ折りにされて更に下方にすすむ。ここで、針１２および平線１０ａは、貫通孔６５の両側に形成されている凸部開口６７に嵌合して下方に移動するため、下方に移動している際にずれることなく確実に下方にすすめることができる。
【００４１】
図８に示すように、第一用毛束６ａと第二用毛束６ｂとが共に２つ折りにされた状態で、平線１０ａと共に歯ブラシハンドル２のヘッド部３の植毛穴５に圧入され、植設される。
【００４２】
図９に示すように、上述の植毛装置１で植毛を行うと、一つの植毛穴５に第一用毛束６ａおよび第二用毛束６ｂの二種類の用毛からなる用毛束２１を植設することができる。
【００４３】
本実施形態によれば、用毛供給機構９を２組設け、第一用毛供給機構９ａから供給される第一用毛束６ａと、第二用毛供給機構９ｂから供給される第二用毛束６ｂとが、上下方向に植毛機構７の補助器５９に載置できるようにし、これら用毛束６ａ、６ｂをまとめて一つの植毛穴５に２つ折りにして植設することができるため、各用毛供給機構９ａ，９ｂに異なる種類の用毛を用意することで、費用をかけることなく簡易な構成で２種類以上の複数種類の用毛を一つの用毛束２１に用いた歯ブラシを製造することができる。
【００４４】
また、第二用毛供給機構９ｂに設けられている第二ピッカー１３ｂに形成された第二掻き取り溝５５ｂが、第一用毛供給機構９ａに設けられている第一ピッカー１３ａに形成された第一掻き取り溝５５ａよりも幅を広く形成したため、植毛機構７において、第一用毛束６ａは第一掻き取り溝５５ａの形状に合わせた量の用毛が配置され、第二用毛束６ｂは第二掻き取り溝５５ｂの形状に合わせた量の用毛が配置され、これら用毛束６ａ，６ｂを植毛穴５に植設する際に、確実に第一用毛束６ａが内側になり、その周囲を第二用毛束６ｂが覆うように２つ折りすることができる。
【００４５】
また、補助器５９の上面に第一用毛供給機構９ａから供給される第一用毛束６ａを載置可能な窪み部６１を形成し、補助器５９の側部に第二用毛供給機構９ｂから供給される第二用毛束６ｂを挿入するための切り込み部６３および載置するための窪み部６４を形成したため、第一用毛束６ａと第二用毛束６ｂとを植毛機構７の補助器５９において確実に上下方向に載置することができるため、これら用毛束６ａ，６ｂを２つ折りにする際に、植設不良を発生することなく、確実に植設を行うことができる。
【００４６】
また、本実施形態における植毛装置１を用いて製造した歯ブラシであって、第一用毛束６ａに用いる第一用毛が、第二用毛束６ｂに用いる第二用毛よりも細い用毛で構成すると、内側に配置される第一用毛束６ａの外周に配置される第二用毛束６ｂの剛性よりも第一用毛束６ａの剛性を相対的に低くすることができるため、歯磨剤の研磨剤および研磨補助用顆粒を毛束に保持させやすくすることができ、歯ブラシの歯垢およびステイン除去力を向上させることができる。
【００４７】
また、上述とは逆に、第一用毛束６ａに用いる第一用毛が、第二用毛束６ｂに用いる第二用毛よりも太い用毛で構成すると、内側に配置される第一用毛束６ａの剛性よりも第二用毛束６ｂの剛性を相対的に低くすることができるため、第一用毛束６ａによる刷掃効果および第二用毛束６ｂによる歯肉に対する当たり心地の柔らかさやマッサージ効果を両立することができる。
【００４８】
したがって、一つの植毛穴５に２種類以上の用毛を用いた用毛束２１を採用することで、様々な特徴を有した歯ブラシを実現することができ、使用者の嗜好に合った製品を提供することができるようになる。
【００４９】
尚、本発明の技術範囲は上述した実施形態に限られるものではなく、本発明の趣旨を逸脱しない範囲において種々の変更を加えることが可能である。例えば、植毛装置を構成する各部材の形状、材料などの具体的な構成については上記実施形態に限ることなく適宜変更が可能である。
例えば、図１０に示すように、第一用毛供給機構９ａおよび第二用毛供給機構９ｂの配置を変更してもよい。
また、用毛の寸法、形状および材料についても、適宜変更してもよい。
【図面の簡単な説明】
【００５０】
【図１】本発明の実施形態における植毛装置の全体構成を示す正面図である。
【図２】本発明の実施形態における補助器の平面図である。
【図３】図２のＡ−Ａ線に沿う断面図である。
【図４】本発明の実施形態における植毛装置の全体構成を示す上面図である。
【図５】本発明の実施形態における植毛装置を用いて歯ブラシを製造する工程を示す説明図である。
【図６】図５の工程の続きを示す説明図である。
【図７】図６の工程の続きを示す説明図である。
【図８】図７の工程の続きを示す説明図である。
【図９】本発明の実施形態における歯ブラシの用毛束を示す斜視図である。
【図１０】本発明の別の実施形態における植毛装置の全体構成を示す上面図である。
【符号の説明】
【００５１】
１…植毛装置  ２…歯ブラシハンドル（ブラシ）  ３…ヘッド部  ５…植毛穴  ６（６ａ，６ｂ）…用毛束  ７…植毛機構  ８（８ａ，８ｂ）…用毛群  ９（９ａ，９ｂ）…用毛供給機構  １０（１０ａ）…平線  １１…平線供給機構  １３（１３ａ，１３ｂ）…ピッカー  ５５ａ…第一掻き取り溝  ５５ｂ…第二掻き取り溝  ５９…補助器  ６１…窪み部（第一窪み部）  ６３…切り込み部  ６４…窪み部（第二窪み部）
【図１】
2008142393.tif 000003
【図２】
2008142393.tif 000004
【図３】
2008142393.tif 000005
【図４】
2008142393.tif 000006
【図５】
2008142393.tif 000007
【図６】
2008142393.tif 000008
【図７】
2008142393.tif 000009
【図８】
2008142393.tif 000010
【図９】
2008142393.tif 000011
【図１０】
2008142393.tif 000012